(57)【特許請求の範囲】
【請求項１】
擁壁と、この擁壁の裏面側と縦部材及び横部材からなるアンカープレートとを抗張部材により連絡して補強土壁構造を構築する補強土壁構造構築工法において、前記擁壁の裏面に対して傾斜するように傾斜溝を有する沈下対応タイプのコネクタを備える一方、前記アンカープレートの横部材となる部分に切り込みを行って爪部材を形成し、この爪部材を１つ置きに断面Ｌ字状に湾曲させて湾曲した姿勢維持用爪部材と湾曲しないアンカープレート固定用爪部材とを形成し、前記抗張部材の一端側を前記コネクタの傾斜溝に係合させるとともに、前記抗張部材の他端側を前記アンカープレートの縦部材に接続し、この縦部材に連なる横部材を前記アンカープレート固定用爪部材にて固定し、前記補強土壁構造の構築後に沈下した際には、盛土の土質状態に応じて前記抗張部材の一端側を前記コネクタの傾斜溝内を移動させ、抗張部材を適正な抗張力に調整して前記補強土を維持することを特徴とする補強土壁構造構築工法。
【請求項２】
擁壁と、この擁壁の裏面側と縦部材及び横部材からなるアンカープレートとを抗張部材により連絡して補強土壁構造を構築する補強土壁構造構築工法に使用するアンカープレートにおいて、このアンカープレートの横部材となる部分に切り込みを行って爪部材を形成し、この爪部材を１つ置きに断面Ｌ字状に湾曲させて湾曲した姿勢維持用爪部材と湾曲しないアンカープレート固定用爪部材とを形成し、縦部材を前記抗張部材の取付箇所として機能させ、前記横部材を盛土上に載置した際に、湾曲した姿勢維持用爪部材を前記アンカープレートの姿勢維持用として機能させる一方、湾曲しないアンカープレート固定用爪部材を前記アンカープレートを盛土に固定するアンカープレート固定用として機能させる構成としたことを特徴とする補強土壁構造構築工法に使用する断面Ｌ字状のアンカープレート。
【発明の詳細な説明】
【技術分野】
【０００１】
この発明は補強土壁構造構築工法及びこの補強土壁構造構築工法に使用する沈下対応タイプのコネクタ並びに補強土壁構造構築工法に使用する断面Ｌ字状のアンカープレートに係り、特に補強土壁構造構築工法によって、補強土壁構造の構築後の沈下に追従して抗張部材を適正な抗張力に調整するとともに、沈下対応タイプのコネクタ及び盛土を掘り込むことなく設置可能な断面Ｌ字状のアンカープレートを実現する補強土壁構造構築工法及びこの補強土壁構造構築工法に使用する沈下対応タイプのコネクタ並びに補強土壁構造構築工法に使用する断面Ｌ字状のアンカープレートに関するものである。
【背景技術】
【０００２】
高速道路などの構築の際に使用する盛土の安定化を図るための補強土壁構造構築工法が種々開発されている。
例えば、補強土壁構造構築工法において、盛土の側面が斜面の場合には、壁面ブロックの裏面とアンカープレートとを抗張部材で接続した構造が考えられる。
また、補強土壁構造構築工法において、盛土の側面に垂直面を形成する場合には、垂直な擁壁の裏面とアンカープレートとを抗張部材で接続した構造が考えられる。
【先行技術文献】
【特許文献】
【０００３】
【特許文献１】特開２００１−０５５７４６号公報
【発明の概要】
【発明が解決しようとする課題】
【０００４】
ところで、従来の補強土壁構造構築工法においては、補強土壁構造に使用する盛土の土質によって、補強土壁構造の構築後に種々の沈下が発生する。
つまり、沈下としては、以下の３種類が発生する。
（１）擁壁と盛土との両方が沈下する。
（２）擁壁のみが沈下し、盛土は沈下しない。
（３）擁壁は沈下せず、盛土のみが沈下する。
上述した沈下の状態において、「（１）」の場合には、補強土壁構造全体が沈下するため、補強土壁構造が崩壊してしまうなどのおそれがないと思われる。
しかし、上述した沈下の状態において、「（２）」あるいは「（３）」の場合には、補強土壁構造を構成する擁壁と盛土との高さ位置が変化してしまうため、擁壁と盛土とを連絡している抗張部材が傾斜してしまう状態となるとともに、抗張部材の抗張力が徒に増加したり、あるいは逆に減少してしまう可能性があり、最終的には、補強土壁構造が崩壊してしまうなどのおそれがあるという不都合がある。
【０００５】
参考まで記載すると、この発明の出願人は、「擁壁の取付金具」の発明の名称で、抗張部材を擁壁の裏面に対して上下方向及び水平方向に回動させる特許出願（上述の特許文献１参照。）を行っている。
しかし、上述した発明の名称「擁壁の取付金具」の特許出願においては、盛土内に埋設される構造物を回避するために、抗張部材を回動可能としたものであり、補強土壁構造の構築後の沈下を全く考慮しておらず、しかも、沈下に追従して抗張部材を適正な抗張力に調整する旨の本願効果を期待するものではなく、構成的に大なる相違点を有していた。
【０００６】
また、補強土壁構造の構築の際に使用されるアンカーブートにおいては、このアンカープレートを設置する際に盛土上面を掘り込む必要があり、アンカープレートの設置作業性が悪いという不都合がある。
この結果、補強土壁構造の構築後の沈下に追従可能な補強土壁構造構築工法及びこの補強土壁構造構築工法に使用する部材などの改善が望まれていた。
【０００７】
この発明は、補強土壁構造の構築後の沈下に追従して抗張部材を適正な抗張力に調整する補強土壁構造構築工法を実現する一方、沈下対応タイプのコネクタ及び盛土を掘り込むことなく設置可能な断面Ｌ字状のアンカープレートを実現することを目的としている。
【課題を解決するための手段】
【０００８】
そこで、この発明は、上述不都合を除去するために、擁壁と、この擁壁の裏面側と縦部材及び横部材からなるアンカープレートとを抗張部材により連絡して補強土壁構造を構築する補強土壁構造構築工法において、前記擁壁の裏面に対して傾斜するように傾斜溝を有する沈下対応タイプのコネクタを備える一方、前記アンカープレートの横部材となる部分に切り込みを行って爪部材を形成し、この爪部材を１つ置きに断面Ｌ字状に湾曲させて湾曲した姿勢維持用爪部材と湾曲しないアンカープレート固定用爪部材とを形成し、前記抗張部材の一端側を前記コネクタの傾斜溝に係合させるとともに、前記抗張部材の他端側を前記アンカープレートの縦部材に接続し、この縦部材に連なる横部材を前記アンカープレート固定用爪部材にて固定し、前記補強土壁構造の構築後に沈下した際には、盛土の土質状態に応じて前記抗張部材の一端側を前記コネクタの傾斜溝内を移動させ、抗張部材を適正な抗張力に調整して前記補強土を維持することを特徴とする。
また、擁壁と、この擁壁の裏面側と縦部材及び横部材からなるアンカープレートとを抗張部材により連絡して補強土壁構造を構築する補強土壁構造構築工法に使用するアンカープレートにおいて、このアンカープレートの横部材となる部分に切り込みを行って爪部材を形成し、この爪部材を１つ置きに断面Ｌ字状に湾曲させて湾曲した姿勢維持用爪部材と湾曲しないアンカープレート固定用爪部材とを形成し、縦部材を前記抗張部材の取付箇所として機能させ、前記横部材を盛土上に載置した際に、湾曲した姿勢維持用爪部材を前記アンカープレートの姿勢維持用として機能させる一方、湾曲しないアンカープレート固定用爪部材を前記アンカープレートを盛土に固定するアンカープレート固定用として機能させる構成としたことを特徴とする。
【発明の効果】
【０００９】
この発明によれば、補強土壁構造の構築後の沈下に追従でき、抗張部材を適正な抗張力に調整する補強土壁構造を構築することができる。
また、断面Ｌ字状のアンカープレートの横部材を盛土上に載置した際に、アンカープレートをアンカープレート止めアンカーにて盛土に固定することができ、アンカープレートを設置する際に盛土を掘り込む必要がなく、アンカープレートの設置作業性を向上し得る。
【図面の簡単な説明】
【００１０】
【図１】図１はこの発明の第１実施例を示す補強土壁構造構築工法により構築される補強土壁構造の概略斜視図である。（実施例１）
【図２】図２は補強土壁構造構築工法により構築される補強土壁構造の概略断面説明図である。（実施例１）
【図３】図３は強土壁構造構築工法に使用する沈下対応タイプのコネクタの取付状態を示す斜視図である。（実施例１）
【図４】図４は強土壁構造構築工法に使用する沈下対応タイプのコネクタの概略説明図である。（実施例１）
【図５】図５は補強土壁構造構築工法に使用するアンカープレートの固定状態を示す概略説明図である。（実施例１）
【図６】図６は補強土壁構造構築工法に使用するアンカープレートの固定時の概略斜視図である。（実施例１）
【図７】図７は強土壁構造構築工法に使用する沈下対応タイプのコネクタの変形例を示す概略説明図である。（実施例１）
【図８】図８はこの発明の第２実施例を示す補強土壁構造構築工法に使用するアンカープレートの固定時の背面図である。（実施例２）
【図９】図９は補強土壁構造構築工法に使用するアンカープレートの固定時の右側面図である。（実施例２）
【発明を実施するための形態】
【００１１】
以下図面に基づいてこの発明の実施例を詳細に説明する。
【実施例１】
【００１２】
図１〜図７はこの発明の実施例を示すものである。
図１及び図２において、１は補強土壁構造構築工法により構築される補強土壁構造、２は擁壁、３は盛土である。
この補強土壁構造１は、図１及び図２に示す如く、前記擁壁２と、この擁壁２の裏面２ｂ側と複数のアンカープレート４とを複数の抗張部材５により夫々連絡し、前記盛土３を転圧しつつ、積層して構築される。
このとき、前記擁壁２の裏面２ｂに傾斜溝６を有する沈下対応タイプのコネクタ７を備える一方、前記アンカープレート４を断面Ｌ字状に形成し、前記抗張部材５の一端５ａ側を前記コネクタ７の傾斜溝６に係合させるとともに、前記抗張部材５の他端５ｂ側を前記アンカープレート４の縦部材８に接続し、この縦部材８に連なる横部材９をアンカープレート止めアンカー１０にて固定している。
【００１３】
そして、前記補強土壁構造１の構築後に沈下した際には、盛土３の土質状態に応じて前記抗張部材５の一端５ａ側を前記コネクタ７の傾斜溝６内を移動させ、抗張部材５を適正な抗張力に調整して前記補強土壁構造１を維持する構成とする。
詳述すれば、前記補強土壁構造１を構築する補強土壁構造構築工法に使用する沈下対応タイプの前記コネクタ７は、図２〜図４に示す如く、前記擁壁２の上下方向に延びる擁壁取付部１１と、この擁壁取付部１１から前記アンカープレート４側に突出する接続腕部１２と、前記擁壁取付部１１に対して傾斜するように前記接続腕部１２に形成した前記傾斜溝６とを備えている。
このとき、この傾斜溝６を、図２〜図４に示す如く、長孔形状に形成する一方、傾斜溝６の上端側を前記擁壁２の裏面２ｂから離間させ、傾斜溝６の上端側から傾斜溝６の下端側に向かって漸次前記擁壁２の裏面２ｂに接近するように傾斜させて形成する。
この図２〜図４に開示される前記傾斜溝６の傾斜状態においては、前記補強土壁構造１の構築後に発生する沈下の際に、前記抗張部材５の一端５ａ側が前記擁壁２の裏面２ｂに接近するように移動するため、前記抗張部材５の抗張力を強化させ、前記抗張部材５を適正な抗張力に調整する。
【００１４】
なお、図７に示す如く、前記傾斜溝６Ａの傾斜状態を逆、つまり、前記コネクタ７Ａに傾斜溝６Ａを長孔形状に形成する一方、傾斜溝６Ａの上端側を前記擁壁２の裏面２ｂに接近させ、傾斜溝６Ａの上端側から傾斜溝６Ａの下端側に向かって漸次前記擁壁２の裏面２ｂから離間するように傾斜させて形成するものである。
この図７に開示される傾斜溝６Ａの傾斜状態においては、前記補強土壁構造１の構築後に発生する沈下の際に、前記抗張部材５の一端５ａ側が前記擁壁２の裏面２ｂから離間するように移動するため、前記抗張部材５の抗張力に緩みを与え、前記抗張部材５を適正な抗張力に調整する。
なお、これらの傾斜溝６及び６Ａの傾斜状態は、前記盛土３の土質状態に応じて適宜選択使用可能であるとともに、盛土３の沈下のみでなく、前記擁壁２の沈下をも勘案して選択使用すれば、前記抗張部材５をより一層適正な抗張力に調整することが可能となるものである。
【００１５】
また、前記補強土壁構造１を構築する補強土壁構造構築工法に使用する前記アンカープレート４は、このアンカープレート４を断面Ｌ字状に形成して前記縦部材８と前記横部材９とを設け、縦部材８を前記抗張部材５の取付箇所として機能させるとともに、前記横部材９を前記盛土３上に載置した際に、前記アンカープレート止めアンカー１０にて盛土３に固定する固定箇所として機能させる構成とする。
つまり、図５及び図６に示す如く、前記アンカープレート４を、前記縦部材８と前記横部材９とによって断面Ｌ字状に形成する。
このとき、前記縦部材８の中央下端部位に、接続具１３によって前記抗張部材５の他端５ｂ側を接続する。
なお、この縦部材８の強度を向上させるために、縦部材８に凹凸形状のエンボス加工を施す。
そして、この縦部材８の上端部位を前記擁壁２側に湾曲させて形成する。
また、この縦部材８に連なる前記横部材９は、図５に示す如く、前記盛土３上に載置する構成とし、横部材９を盛土３上に載置した際に、前記アンカープレート止めアンカー１０によって横部材９を盛土３上に固定する。
【００１６】
次に、前記補強土壁構造１を構築する補強土壁構造構築工法を説明する。
この補強土壁構造構築工法においては、まず、地盤１４を掘り起こして基礎材１５を埋設するとともに、この基礎材１５の上面に基礎１６を形成する。
そして、この基礎１６上に図示しない複数の壁部材からなる前記擁壁２を立設する。
このとき、擁壁２の裏面２ｂ側と前記アンカープレート４とを抗張部材５により連絡し、前記盛土３を転圧する。なお、アンカープレート４は、下層及び上層に位置する複数の壁部材を接続するために、壁部材の接続部位を跨ぐように接続する。
その後、徐々に上層に位置する擁壁２に移行し、複数の層状に前記盛土３を施工するものである。
また、前記擁壁２の裏面２ｂ側と前記アンカープレート４とを抗張部材５により連絡する際には、前記擁壁２の裏面２ｂに前記コネクタ７の擁壁取付部１１を上下方向に延びるように固定し、この擁壁取付部１１から前記アンカープレート４側に突出する接続腕部１２に形成した前記傾斜溝６に前記抗張部材５の一端５ａ側を取り付ける。
このときの取付方策としては、抗張部材５の一端５ａ側をアイボルト形状に形成して、ボルト・ナットなどの取付具１７によって取り付ける方策などが考えられる。
更に、前記抗張部材５の他端５ｂ側を前記アンカープレート４に接続する際には、図５に示す如く、アンカープレート４の前記縦部材８の中央下端部位に、接続具１３によって前記抗張部材５の他端５ｂ側を接続する。
更にまた、前記抗張部材５の途中部位に設けたターンバックル１８によって、抗張部材５の一端５ａ側を擁壁２の裏面２ｂに固定し、かつ、抗張部材５の他端５ｂ側をアンカープレート４の縦部材８の中央下端部位に接続した後に、抗張部材５の抗張力を適正状態に設定する。
【００１７】
これにより、前記擁壁２と、この擁壁２の裏面２ｂ側とアンカープレート４とを抗張部材５により連絡して補強土壁構造１を構築する補強土壁構造構築工法において、前記擁壁２の裏面２ｂに傾斜溝６を有する沈下対応タイプのコネクタ７を備える一方、前記アンカープレート４を断面Ｌ字状に形成し、前記抗張部材５の一端５ａ側を前記コネクタ７の傾斜溝６に係合させるとともに、前記抗張部材５の他端５ｂ側を前記アンカープレート４の縦部材８に接続し、この縦部材８に連なる横部材９をアンカープレート止めアンカー１０にて固定し、前記補強土壁構造１の構築後に沈下した際には、盛土３の土質状態に応じて前記抗張部材５の一端５ａ側を前記コネクタ７の傾斜溝６内を移動させ、抗張部材５を適正な抗張力に調整して前記補強土壁構造１を維持する。
従って、この補強土壁構造１の構築後の沈下に追従でき、抗張部材５を適正な抗張力に調整する補強土壁構造１を構築することができる。
また、沈下対応タイプの前記コネクタ７を備えることによって、補強土壁構造１の構築後に沈下した際には、前記盛土３の土質状態に応じて前記抗張部材５の一端５ａ側がコネクタ７の前記傾斜溝６内を移動することとなり、沈下に追従でき、抗張部材５を適正な抗張力に調整して補強土壁構造１を維持することができる。
更に、断面Ｌ字状の前記アンカープレート４を備えることによって、アンカープレート４を設置する際に盛土を掘り込む必要がなく、アンカープレート４の設置作業性を向上し得る。
【００１８】
また、前記補強土壁構造１を構築する補強土壁構造構築工法に使用する沈下対応タイプのコネクタ７において、前記擁壁２の上下方向に延びる擁壁取付部１１と、この擁壁取付部１１から前記アンカープレート４側に突出する接続腕部１２と、前記擁壁取付部１１に対して傾斜するように前記接続腕部１２に形成した傾斜溝６とを備える。
従って、前記補強土壁構造１の構築後に沈下した際には、前記盛土３の土質状態に応じて前記抗張部材５の一端５ａ側が前記コネクタ７の接続腕部１２に形成した傾斜溝６内を移動することとなり、沈下に追従でき、抗張部材５を適正な抗張力に調整して補強土壁構造１を維持することができる。
【００１９】
更に、前記補強土壁構造１を構築する補強土壁構造構築工法に使用するアンカープレート４において、このアンカープレート４を断面Ｌ字状に形成して縦部材８と横部材９とを設け、縦部材８を前記抗張部材５の取付箇所として機能させるとともに、前記横部材９を盛土３上に載置した際に、アンカープレート止めアンカー１０にて盛土３に固定する固定箇所として機能させる構成とする。
従って、断面Ｌ字状の前記アンカープレート４の横部材９を盛土３上に載置した際に、アンカープレート４をアンカープレート止めアンカー１０にて盛土３に固定することができ、アンカープレート４を設置する際に盛土を掘り込む必要がなく、アンカープレート４の設置作業性を向上し得る。
また、前記縦部材８の上端部位を前記擁壁２側に湾曲させて形成したことにより、前記アンカープレート４を盛土３で転圧した際に、湾曲形成した縦部材８の上端部位が盛土３に食い付くこととなり、前記アンカープレート４の支持力が向上し、前記抗張部材５の抗張力の向上に寄与し得る。
【実施例２】
【００２０】
図８及び図９はこの発明の第２実施例を示すものである。
この第２実施例において、上述第１実施例のものと同一機能を果たす箇所には、同一符号を付して説明する。
【００２１】
上述した第１実施例においては、アンカープレート４を断面Ｌ字状に湾曲形成した後に、盛土３にアンカープレート止めアンカー１０にて固定する構成としたが、この第２実施例の特徴とするところは、アンカープレート２１に固定機能を付加した構成とした点にある。
【００２２】
すなわち、前記アンカープレート２１は、図８及び図９に示す如く、平板状部材の一端に切り込みを行い、切り込み部分の一部を断面Ｌ字状に湾曲するものである。なお、平板状部材の他端は、断面円弧状に湾曲させて盛土３への埋設時の引き抜き抵抗力を増加させている。
追記すれば、前記アンカープレート２１に切り込みを行って複数個の爪部材２２を形成した後に、爪部材２２を１つ置きに断面Ｌ字状に湾曲させ、図８及び図９に示す如く、湾曲したものを前記盛土３表面に位置させた際の姿勢維持用爪部材２２−１として機能させるとともに、湾曲しないものをアンカープレート固定用爪部材２２−２として機能させる構成としている。
また、前記アンカープレート２１のアンカープレート本体側の前記抗張部材５の接続される周辺部位には、補強リブ２３を放射状に形成している。
【００２３】
さすれば、１枚の平板状部材を湾曲することによって、前記アンカープレート２１に姿勢維持用爪部材２２−１とアンカープレート固定用爪部材２２−２とを現出させることができ、前記アンカープレート２１の構成を簡略化し得るとともに、製作が容易となり、コストの低減に寄与し得るものである。
なお、前記アンカープレート固定用爪部材２２−２に関しては、前記盛土３への差し込み作業を容易とするために、図８に示す如く、アンカープレート固定用爪部材２２−２の先端を爪形状に尖らせる構成としたが、アンカープレート固定用爪部材２２−２の固定力と前記盛土３への差し込み作業時の作業性とを勘案し、アンカープレート固定用爪部材２２−２を任意の形状とすることも可能である。
また、前記アンカープレート２１の強度向上を図るために、アンカープレート本体側の前記抗張部材５の接続される周辺部位に補強リブ２３を放射状に形成しているが、前記アンカープレート固定用爪部材２２−２の強度向上を図るため、同様に補強リブを形成することも可能である。
【符号の説明】
【００２４】
１  補強土壁構造構築工法により構築される補強土壁構造
２  擁壁
３  盛土
４  アンカープレート
５  抗張部材
６、６Ａ  傾斜溝
７、７Ａ  コネクタ
８  縦部材
９  横部材
１０  アンカープレート止めアンカー
１１  擁壁取付部
１２  接続腕部
１３  接続具
１４  地盤
１５  基礎材
１６  基礎
１７  取付具
１８  ターンバックル
【図１】
0005641563.tif 000002
【図２】
0005641563.tif 000003
【図３】
0005641563.tif 000004
【図４】
0005641563.tif 000005
【図５】
0005641563.tif 000006
【図６】
0005641563.tif 000007
【図７】
0005641563.tif 000008
【図８】
0005641563.tif 000009
【図９】
0005641563.tif 000010